(57)【要約】【課題】表示領域を切り分けて、それぞれの領域に表示候補Ｗｅｂページの内容をそのまま表示する。【解決手段】本発明は、複数の表示候補（Ｗｅｂページ）があるときに、それらの表示候補に重要度が割り振られている場合、または、閲覧者の個人情報に基づいて、表示候補毎に重要度を求め、重要度に基づいて、表示領域を決定し、各表示候補を割り当てられた領域に一覧表示する。【選択図】      図１
2004318736.tif 000002
【特許請求の範囲】
【請求項１】
テキストや画像・映像を含む電子的な表示対象を画面上の任意の位置に任意の表示面積で表示する手段を有する電子情報表示装置における電子情報表示方法において、
検索サイトを含む外部装置または、ネットワークにアクセスすることにより取得した重要度が割り振られた複数の表示候補、及び、閲覧者から入力された参考情報あるいは、該閲覧者の嗜好・属性、または、それらを組み合わせた個人情報を受信し、一時的に記憶手段に記憶しておき、
前記記憶手段から前記表示候補を読み出して、各表示候補の重要度が算出されている場合には、該重要度の分布状況を解析する、または、該重要度について前記個人情報に基づいて補正を行った後に該重要度の分布状況を解析する、または、該重要度が算出されていない場合は、前記個人情報に基づいて該表示候補の重要度を求め、
前記重要度に応じて前記表示候補毎に、表示手段の画面上の表示領域を、「表示位置と表示サイズ」の形の数値対として割り当て、
前記各表示候補を、数値対に従って、割り当てられた前記表示手段の表示領域に、一覧的に表示することを特徴とする電子情報表示方法。
【請求項２】
前記各表示候補を、割り当てられた前記表示領域にそのまま表示したとき、該表示領域からはみ出す部分が生じる場合、または、該表示領域に比して表示候補のサイズが小さく、余白部分が生じる場合、該はみ出し部分や余白の発生状況に応じて、該表示候補全体を拡大または、縮小して前記表示手段の画面上に表示する請求項１記載の電子情報表示方法。
【請求項３】
前記各表示候補が表示内容中の重要点を示す指標を有するとき、または、電子情報表示装置が各表示候補の情報から表示内容中の重要点を算出できる機能を有するとき、各表示候補を割り当てられた表示領域にそのまま表示した場合に、該表示領域からはみ出す部分が生じた場合には、該重要点を該表示領域内部に移動させて該表示候補を表示する請求項１記載の電子情報表示方法。
【請求項４】
前記電子情報表示装置が、Ｗｅｂブラウザにおけるハイパ−リンクのように、画面に表示されている対象へアクセスできる手段を有する場合は、前記各表示候補の表示内容に該手段でアクセスすることによって得られた該表示候補の内容を、通信手段を介して、別のディスプレイ装置や、ウィンドウに表示する請求項１乃至３記載の電子情報表示方法。
【請求項５】
テキストや画像・映像を含む電子的な表示対象を画面上の任意の位置に任意の表示面積で表示する手段を有する電子情報表示装置であって、
検索サイトを含む外部装置または、ネットワークにアクセスすることにより取得した重要度が割り振られた複数の表示候補を取得する情報取得手段と、
閲覧者から入力された参考情報あるいは、該閲覧者の嗜好・属性、または、それらを組み合わせた情報を取得する個人情報取得手段と、
前記情報取得手段または、前記個人情報取得手段で取得された情報を一時的に記憶する記憶手段と、
前記記憶手段から前記表示候補を読み出して、各表示候補の重要度が算出されている場合には、該重要度の分布状況を解析する、または、該重要度について前記個人情報に基づいて補正を行った後に該重要度の分布状況を解析する、または、該重要度が算出されていない場合は、前記個人情報に基づいて該表示候補の重要度を求める情報価値評価手段と、
前記重要度に応じて前記表示候補毎に、表示手段の画面上の表示領域を、「表示位置と表示サイズ」の形の数値対として割り当てる表示部分決定手段と、
前記各表示候補を、前記表示部分決定手段で割り当てられた前記数値対に従って、表示手段の割り当てられた表示領域に一覧的に表示する表示制御手段と、を有することを特徴とする電子情報表示装置。
【請求項６】
前記表示制御手段は、
前記各表示候補を、割り当てられた前記表示領域にそのまま表示したとき、該表示領域からはみ出す部分が生じる場合、または、該表示領域に比して表示候補のサイズが小さく、余白部分が生じる場合、該はみ出し部分や余白の発生状況を前記表示部分決定手段に通知する手段と、
前記表示部分決定手段からの指示に基づいて、前記表示候補全体を拡大または、縮小して前記表示手段の画面上に表示する手段と、を含み、
前記表示部分決定手段は、
前記表示制御手段から取得した前記はみ出し部分や余白の発生状況に基づいて、前記表示候補全体を拡大または、縮小させる指示を前記表示制御手段に通知する手段を含む請求項５記載の電子情報表示装置。
【請求項７】
前記表示制御手段は、
前記表示候補を割り当てられた表示領域にそのまま表示した場合に、該表示領域からはみ出す部分が生じた場合には、前記表示部分決定手段にその状況を通知する手段と、
前記表示部分決定手段からの指示に基づいて、重要点を該表示領域内部に移動させて該表示候補を表示させる手段を有し、
前記表示部分決定手段は、
前記各表示候補が表示内容中の重要点を示す指標を有していない場合に、各表示候補の情報から表示内容中の重要点を算出する手段と、
前記表示制御手段から前記表示候補を割り当てられた表示領域にそのまま表示した場合に、該表示領域からはみ出す部分が生じた状況が通知されると、該重要点が該表示領域内部に移動するように重要点を求め、求められた重要点に基づいて該表示候補を表示させるよう該表示制御手段に指示する手段と、を有する請求項５記載の電子情報表示装置。
【請求項８】
前記情報取得手段は、
前記表示手段の画面に表示されている対象へアクセスすることより、前記各表示候補の表示内容を取得する手段を含み、
前記表示制御手段は、
前記表示候補の内容を、通信手段を介して別のディスプレイ装置や、ウィンドウに表示させる手段を含む請求項５乃至７記載の電子情報表示装置。
【請求項９】
テキストや画像・映像を含む電子的な表示対象を画面上の任意の位置に任意の表示面積で表示手段に表示させる電子情報表示プログラムであって、
検索サイトを含む外部装置または、ネットワークにアクセスすることにより取得した重要度が割り振られた複数の表示候補を取得し、一時的に記憶手段に記憶させる情報取得ステップと、
閲覧者から入力された参考情報あるいは、該閲覧者の嗜好・属性、または、それらを組み合わせた情報を取得し、一時的に記憶手段に記憶させる個人情報取得ステップと、
記記憶手段から前記表示候補を読み出して、各表示候補の重要度が算出されている場合には、該重要度の分布状況を解析する、または、該重要度について前記個人情報に基づいて補正を行った後に該重要度の分布状況を解析する、または、該重要度が算出されていない場合は、前記個人情報に基づいて該表示候補の重要度を求める情報価値評価ステップと、
前記重要度に応じて前記表示候補毎に、表示手段の画面上の表示領域を、「表示位置と表示サイズ」の形の数値対として割り当てる表示部分決定ステップと、
前記各表示候補を、前記表示部分決定ステップで割り当てられた前記数値対に従って、表示手段の割り当てられた表示領域に、一覧的に表示させる表示制御ステップと、からなり、コンピュータに実行させることを特徴とする電子情報表示装置。
【請求項１０】
前記表示制御ステップは、
前記各表示候補を、割り当てられた前記表示領域にそのまま表示したとき、該表示領域からはみ出す部分が生じる場合、または、該表示領域に比して表示候補のサイズが小さく、余白部分が生じる場合、該はみ出し部分や余白の発生状況に応じて、該表示候補全体を拡大または、縮小して前記表示手段の画面上に表示させるステップを含む請求項９記載の電子情報表示プログラム。
【請求項１１】
前記表示制御ステップは、
前記表示候補を割り当てられた表示領域にそのまま表示した場合に、該表示領域からはみ出す部分が生じた場合には、前記表示部分決定ステップにその状況を通知し、
前記表示部分決定ステップは、
前記表示制御ステップから前記表示候補を割り当てられた表示領域にそのまま表示した場合に、該表示領域からはみ出す部分が生じた状況が通知されると、該重要点が該表示領域内部に移動するように各表示候補の情報から表示内容中の重要点を求め、該表示制御ステップに通知し、
前記表示制御ステップは、
前記表示部分決定ステップから通知された重要点に基づいて、該重要点を該表示領域内部に移動させて該表示候補を表示させる請求項９記載の電子情報表示プログラム。
【請求項１２】
前記情報取得ステップは、
前記表示手段の画面に表示されているアクセス対象へアクセスすることより、前記各表示候補の表示内容を取得するステップを含み、
前記表示制御ステップは、
前記表示候補の内容を、通信手段を介して、改めて別のディスプレイ装置や、ウィンドウに表示させるステップを含む請求項９乃至１１記載の電子情報表示プログラム。
【発明の詳細な説明】
【０００１】
【発明の属する技術分野】
本発明は、電子情報表示方法及び装置及び電子情報表示プログラムに係り、特に、複数の電子的な表示物（例えば、ワールド・ワイド・ウェブページ）を一覧表示するための電子情報表示方法及び装置及び電子情報表示プログラムに関する。
【０００２】
詳しくは、一般に何らかの根拠による数値指標を割り当てられた、複数の電子的な情報を表示する際に適用するための電子情報表示方法及び装置及び電子情報表示プログラムに関する。
【０００３】
【従来の技術】
従来の例として、ワールド・ワイド・ウェブ（以下、Ｗｅｂ空間と記す）におけるワールド・ワイド・ウェブページ（以下、単に、Ｗｅｂページと記す）群を対象として説明する。
【０００４】
現在のＷｅｂ空間には、無数のＷｅｂページが無秩序に存在している。こうした莫大な数のＷｅｂページ群から、閲覧者が自分の欲しているものを探したい場合に用いる情報探索手段として、いわゆる「検索サイト」が存在している。
【０００５】
検索サイトによる情報提示手段については、例えば、検索サイトにおいて、閲覧者が知りたい情報をキーワードの形で入力した際、予めＷｅｂ空間から収集してあるＷｅｂページ群の中から、キーワードとの一致率、Ｗｅｂページから解析・収集されるリンク情報、利用者の挙動を記録したトラフィック情報、利用者の思考を記録したユーザアクション情報を元に、各Ｗｅｂページの「適合度」を算出し、検索結果として、有意な適合度の高いＷｅｂページから順に、タイトルと内容の要約文、アクセス先（ＵＲＬ及びＵＲＩ）を、該当Ｗｅｂページヘアクセス手段としてハイパーリンクと共に、一覧表示する（例えば、特許文献１参照）。
【０００６】
【特許文献１】
特開２００１−３４４２７０号公報
【０００７】
【発明が解決しようとする課題】
しかしながら、インターネットによる情報流通が一般的になるにつれて、積極的な検索目的ではなく、ある対象の関連情報や、漠然としたイメージを眺める目的で、検索サイトを利用されることも増えている。このような場合、表示候補Ｗｅｂページの要約文が羅列されているだけでは、文章を読んで中身を推測し、表示候補Ｗｅｂページを出力するか否かを判断する積極性が要求されるため、なんらかの根拠による数値指標を割り当てられた、複数の電子的な情報を表示するには、上記の従来の技術における検索サイトの出力結果の表示方法は適していない。
【０００８】
検索サイトによっては、「サムネイル」と呼ばれるリンク先の表示画面を取得して縮小したものを併載するものもあるが、それでも各表示候補Ｗｅｂページを出力するか否かを判断する積極性を要することには変わりがない。
【０００９】
本発明は、上記の点に鑑みなされたもので、閲覧者が受動的かつ簡易な探索を可能とし、また、探索したい情報を直感的に把握することが可能な電子情報表示方法及び装置及び電子情報表示プログラムを提供することを目的とする。
【００１０】
【課題を解決するための手段】
図１は、本発明の原理を説明するための図である。
【００１１】
本発明は、テキストや画像・映像を含む電子的な表示対象を画面上の任意の位置に任意の表示面積で表示する手段を有する電子情報表示装置における電子情報表示方法において、
検索サイトを含む外部装置または、ネットワークにアクセスすることにより取得した重要度が割り振られた複数の表示候補、及び、閲覧者から入力された参考情報あるいは、該閲覧者の嗜好・属性、または、それらを組み合わせた個人情報を受信し（ステップ１，２）、一時的に記憶手段に記憶しておき（ステップ３）、
記憶手段から表示候補を読み出して、各表示候補の重要度が算出されている場合には、該重要度の分布状況を解析する、または、該重要度について個人情報に基づいて補正を行った後に該重要度の分布状況を解析する、または、該重要度が算出されていない場合は、個人情報に基づいて該表示候補の重要度を求め（ステップ４）、
重要度に応じて表示候補毎に、表示手段の画面上の表示領域を、「表示位置と表示サイズ」の形の数値対として割り当て（ステップ５）、
各表示候補を、数値対として表示手段の割り当てられた表示領域に一覧的に表示する（ステップ６）。
【００１２】
また、本発明は、各表示候補を、割り当てられた表示領域にそのまま表示したとき、該表示領域からはみ出す部分が生じる場合、または、該表示領域に比して表示候補のサイズが小さく、余白部分が生じる場合、該はみ出し部分や余白の発生状況に応じて、該表示候補全体を拡大または、縮小して表示手段の画面上に表示する。
【００１３】
また、本発明は、各表示候補が表示内容中の重要点を示す指標を有するとき、または、電子情報表示装置が各表示候補の情報から表示内容中の重要点を算出できる機能を有するとき、各表示候補を割り当てられた表示領域にそのまま表示した場合に、該表示領域からはみ出す部分が生じた場合には、該重要点を該表示領域内部に移動させて該表示候補を表示する。
【００１４】
また、本発明は、電子情報表示装置が、Ｗｅｂブラウザにおけるハイパ−リンクのように、画面に表示されている対象へアクセスできる手段を有する場合は、各表示候補の表示内容に該手段でアクセスすることによって得られた該表示候補の内容を、通信手段を介して、別のディスプレイ装置や、ウィンドウに表示する。
【００１５】
図２は、本発明の原理構成図である。
【００１６】
本発明は、テキストや画像・映像を含む電子的な表示対象を画面上の任意の位置に任意の表示面積で表示する手段を有する電子情報表示装置であって、
検索サイトを含む外部装置または、ネットワークにアクセスすることにより取得した重要度が割り振られた複数の表示候補を取得する情報取得手段１２０と、
閲覧者から入力された参考情報あるいは、該閲覧者の嗜好・属性、または、それらを組み合わせた情報を取得する個人情報取得手段１１０と、
情報取得手段１２０または、個人情報取得手段１１０で取得された情報を一時的に記憶する記憶手段１７０と、
記憶手段１７０から表示候補を読み出して、各表示候補の重要度が算出されている場合には、該重要度の分布状況を解析する、または、該重要度について個人情報に基づいて補正を行った後に該重要度の分布状況を解析し、該重要度が算出されていない場合は、個人情報に基づいて該表示候補の重要度を求める情報価値評価手段１３１と、
重要度に応じて表示候補毎に、表示手段の画面上の表示領域を、「表示位置と表示サイズ」の形の数値対として割り当てる表示部分決定手段１３２と、
各表示候補を、表示部分決定手段１３２で割り当てられた数値対に従って、表示手段の割り当てられた表示領域に一覧的に表示する表示制御手段１４０と、を有する。
【００１７】
また、本発明の表示制御手段は、
各表示候補を、割り当てられた表示領域にそのまま表示したとき、該表示領域からはみ出す部分が生じる場合、または、該表示領域に比して表示候補のサイズが小さく、余白部分が生じる場合、該はみ出し部分や余白の発生状況を表示部分決定手段に通知する手段と、
表示部分決定手段からの指示に基づいて、表示候補全体を拡大または、縮小して表示手段の画面上に表示する手段と、を含み、
表示部分決定手段は、
表示制御手段から取得したはみ出し部分や余白の発生状況に基づいて、表示候補全体を拡大または、縮小させる指示を表示制御手段に通知する手段を含む。
【００１８】
また、本発明の表示制御手段は、
表示候補を割り当てられた表示領域にそのまま表示した場合に、該表示領域からはみ出す部分が生じた場合には、表示部分決定手段にその状況を通知する手段と、
表示部分決定手段からの指示に基づいて、該重要点を該表示領域内部に移動させて該表示候補を表示させる手段を有し、
表示部分決定手段は、
各表示候補が表示内容中の重要点を示す指標を有していない場合に、各表示候補の情報から表示内容中の重要点を算出する手段と、
表示制御手段から表示候補を割り当てられた表示領域にそのまま表示した場合に、該表示領域からはみ出す部分が生じた状況が通知されると、該重要点が該表示領域内部に移動するように重要点を求め、求められた重要点に基づいて該表示候補を表示させるよう該表示制御手段に指示する手段と、を有する。
【００１９】
また、本発明は、情報取得手段は、
表示手段の画面に表示されている対象へアクセスすることより、各表示候補の表示内容を取得する手段を含み、
表示制御手段は、
表示候補の内容を、通信手段を介して別のディスプレイ装置や、ウィンドウに表示させる手段を含む。
【００２０】
本発明は、テキストや画像・映像を含む電子的な表示対象を画面上の任意の位置に任意の表示面積で表示手段に表示させる電子情報表示プログラムであって、
検索サイトを含む外部装置、または、ネットワークにアクセスすることにより取得した重要度が割り振られた複数の表示候補を取得し、一時的に記憶手段に記憶させる情報取得ステップと、
閲覧者から入力された参考情報あるいは、該閲覧者の嗜好・属性、または、それらを組み合わせた情報を取得し、一時的に記憶手段に記憶させる個人情報取得ステップと、
記記憶手段から表示候補を読み出して、各表示候補の重要度が算出されている場合には、該重要度の分布状況を解析する、または、該重要度について個人情報に基づいて補正を行った後に該重要度の分布状況を解析し、該重要度が算出されていない場合は、個人情報に基づいて該表示候補の重要度を求める情報価値評価ステップと、
重要度に応じて表示候補毎に、表示手段の画面上の表示領域を、「表示位置と表示サイズ」の形の数値対として割り当てる表示部分決定ステップと、
各表示候補を、表示部分決定ステップで割り当てられた数値対に従って、表示手段の割り当てられた表示領域に、一覧的に表示させる表示制御ステップと、からなり、コンピュータに実行させる。
【００２１】
本発明の表示制御ステップは、
各表示候補を、割り当てられた表示領域にそのまま表示したとき、該表示領域からはみ出す部分が生じる場合、または、該表示領域に比して表示候補のサイズが小さく、余白部分が生じる場合、該はみ出し部分や余白の発生状況に応じて、該表示候補全体を拡大または、縮小して表示手段の画面上に表示させるステップを含む。
【００２２】
また、本発明の表示制御ステップは、
表示候補を割り当てられた表示領域にそのまま表示した場合に、該表示領域からはみ出す部分が生じた場合には、表示部分決定ステップにその状況を通知し、
表示部分決定ステップは、
表示制御ステップから表示候補を割り当てられた表示領域にそのまま表示した場合に、該表示領域からはみ出す部分が生じた状況が通知されると、該重要点が該表示領域内部に移動するように各表示候補の情報から表示内容中の重要点を求め、該表示制御ステップに通知し、
表示制御ステップは、
表示部分決定ステップから通知された重要点に基づいて、該重要点を該表示領域内部に移動させて該表示候補を表示させる。
【００２３】
また、本発明の情報取得ステップは、
表示手段の画面に表示されているアクセス対象へアクセスすることより、各表示候補の表示内容を取得するステップを含み、
表示制御ステップは、
表示候補の内容を、通信手段を介して、改めて別のディスプレイ装置や、ウィンドウに表示させるステップを含む。
【００２４】
上記のように、本発明では、各表示候補Ｗｅｂページの要約文を並べて表示するのではなく、表示領域を適切に切り分けて、それぞれの領域に表示候補Ｗｅｂページの内容をそのまま表示する。このような表示方法をとることにより、情報を探索している閲覧者は、従来の探索よりも受動的かつ簡易な探索ができると共に、関連情報を複合的・横断的に眺めることができるので、場合によっては、閲覧者が探索したい情報を直感的に把握できる。
【００２５】
【発明の実施の形態】
以下、図面と共に本発明の実施の形態を説明する。
【００２６】
［第１の実施の形態］
図３は、本発明の第１の実施の形態における電子情報表示装置の構成図である。
【００２７】
同図に示す電子情報表示装置１００は、個人情報取得部１１０、情報取得部１２０、情報解析部１３０、画面制御部１４０、情報表示部１５０、通信部１６０、記憶部１７０から構成され、個人情報取得部１１０には個人情報入力部２００が接続され、情報取得部１２０にはデーターベース・検索エンジン等３００が接続され、情報表示部１５０には、ディスプレイ等４００等の装置が接続されている。なお、以下の説明では、情報取得部１２０は、ネットワークを介してデーターベース・検索エンジン等３００に接続されているものとする。
【００２８】
個人情報入力部２００及び個人情報取得部１１０は、閲覧者の個人情報を取得し、記憶部１７０に一時的に記憶する。なお、個人情報入力部２００の代わりに、個人情報が予め蓄積されている記憶手段を利用してもよい。この場合は、個人情報取得部１１０は、当該記憶手段から閲覧者の個人情報を読み出す。
【００２９】
また、情報取得部１２０は、閲覧者が探索したいデータ全体と、データの探索結果を記憶部１７０に格納する。
【００３０】
記憶部１７０は、探索結果、データ、個人情報を蓄積し、情報解析部１３０へ転送する。
【００３１】
情報解析部１３０は、情報価値評価部１３１及び表示部分決定部１３２からなる。情報価値評価部１３１は、個人情報取得部１１０によって取得され記憶部１７０に格納されている個人情報と、情報取得部１２０によって取得され、記憶部１７０に格納されている探索結果及び表示候補データを解析し、各表示候補データの情報価値を数値として算出し、表示部分決定部１３２に転送する。また、情報価値が数値として付与されている場合には、個人情報に基づいて、当該数値を補正することも可能である。
【００３２】
表示部分決定部１３２は、各表示候補Ｗｅｂページに、情報価値算出部で算出された情報価値に基づいて、その表示候補データを表示したい領域を、領域の位置とサイズを表す数値対として算出し、画面制御部１４０へ転送する。
【００３３】
画面制御部１４０は、表示部分決定部１３２から転送された算出結果に基づいて、情報表示部１５０及び、ディスプレイ等４００の装置及び、通信部１６０を介してネットワークへの出力方法を指示する。
【００３４】
情報表示部１５０は、画面制御部１４０の指示に従って表示候補データ及び、ディスプレイ等４００の表示領域を加工し、適切な情報を出力する。
【００３５】
次に、上記の構成における一連の動作を説明する。
【００３６】
図４は、本発明の一実施の形態における電子情報表示装置の一連の動作のフローチャートである。
【００３７】
ステップ１０１）  閲覧者の嗜好や、属性等の個人情報をキーボード等の個人情報入力部２００から入力し、記憶部１７０に格納する。
【００３８】
ステップ１０２）  閲覧者が情報を取得したいサイト（検索サイト）に、キーボードや、ポインティングデバイスを等の入力手段を用いてアクセスする。
【００３９】
ステップ１０３）  情報取得部１２０は、閲覧者によりアクセスされた表示対象の表示候補を取得し、記憶部１７０に格納する。
【００４０】
ステップ１０４）  情報解析部１３０の情報価値評価部１３１は、記憶部１７０から表示候補を読み出して、当該表示候補に評価情報（以下、重要度と記す）が含まれているかを判断し、含まれている場合には、ステップ１０６に移行する。
【００４１】
ステップ１０５）  情報価値評価部１３１は、表示候補に重要度が含まれていない場合には、個人情報を記憶部１７０から読み出して、重要度を算出する。
【００４２】
ステップ１０６）  表示候補に重要度が含まれている場合には、個人情報を記憶部１７０から読み出して、重要度の補正を行い、重要度の分布を解析する。なお、重要度の補正は必須処理ではない。
【００４３】
ステップ１０７）  表示部分決定部１３２は、情報価値評価部１３１で算出された重要度に基づいて、表示候補毎に表示位置と表示サイズの対からなる表示領域を決定し、表示領域に割り当てる。
【００４４】
ステップ１０８）  画面制御部１４０は、表示部分決定部１３２によって割り当てられた領域に基づいて、情報表示部１５０に情報取得部１２０で取得した検索結果のデータを表示する指示を行うと共に、ディスプレイ等４００の装置に対して、表示候補の表示の指示を行う。
【００４５】
以下、具体的に本発明による出力方法を検索サイトに適用した例を用いて説明する。
【００４６】
図５は、本発明の一実施の形態における検索サイトの例である。
【００４７】
閲覧者が、画面上の文字列入力部２０１に文字列を入力し、操作ボタン２０２にマウスクリック等でアクセスすると、検索サイトに組み込まれた公知技術により、いくつかの適合ＷｅｂページのＵＲＬと適合度（数値）が算出される。本実施の形態では、この適合度を「重要度」として考える。
【００４８】
この算出結果に基づいて、例えば、以下のような解析処理を行い、各適合Ｗｅｂページに表示領域を割り当てる。
【００４９】
なお、ここでは、表示領域は必ず矩形領域を為すものと定めておき、表示位置を表す数値として「矩形の重心のｘ座標値及びｙ座標値」を、表示サイズを表す数値として「矩形の縦長値及び横長値」を割り当てる。矩形領域の場合、これら４つの数値があれば、表示領域は自明に確定する。勿論、必ずしも表示領域を矩形に限定する必要はなく、表示領域を表す数値として上記の４つを採用する必要もない。例えば、「表示領域を円形とし、表示領域を中心の座標と半径長で表す」といったことも考えられる。
【００５０】
以下、単に「上位」「下位」と記した場合、適合度の大きい方から適合Ｗｅｂページを並べた順位の上位及び下位を表すものとする。
【００５１】
（１）表示面積値の割り当て：
表示縦長値及び表示横長値を割り当てる前段階処理として、まず、各表示候補に「表示面積値」を割り当てる。上位Ｎ個の適合Ｗｅｂページ以外の適合Ｗｅｂページがあれば、その表示面積値に「０」を割り当てる。この処理により、一覧表示する適合Ｗｅｂページの数をＮ個以下に限定し、それ以上の候補は表示しないことになる。ここで、Ｎは、処理毎に定める整数値であり、完全に固定された値でもよいし、閲覧者が別に入力する数値としてもよいし、表示する画面やウィンドウのサイズ等を引数としたなんらかの函数によって自動的に算出される数値でもよい。
【００５２】
また、「上位Ｎ個」という算出法でなく、例えば、「上位から順に適合度を加えていき、ある一定値を超えるまでのすべての適合Ｗｅｂページ」以外の適合Ｗｅｂページの表示面積値に「０」を割り当てる、という処理でもよい。
【００５３】
以下の処理は、表示面積値にまだ「０」が割り当てられていない適合Ｗｅｂページにのみ適用する。適合Ｗｅｂページを上位から順にＰ＿１、Ｐ＿２、．．．、Ｐ＿Ｎとし、適合ＷｅｂページＰの適合度μ（Ｐ）と表す。
【００５４】
適合ＷｅｂページＰ＿ｉの表示面積値Ｓ（Ｐ＿ｉ）を、
Ｓ（Ｐ＿ｉ）＝（μ（Ｐ＿Ｉ）／（Σ＿｛ｉ＝１，Ｎ｝μ（Ｐ＿ｉ）））＊                                      （表示部分全体のサイズ（画素数））
で算出する。
【００５５】
（２）  各表示候補Ｗｅｂページへの表示領域割り当て：
上位の適合Ｗｅｂページから順に、表示領域を、「重心のｘ座標、重心のｙ座標、表示縦長値、表示横長値」の数値対の形で割り当てる。
各適合Ｗｅｂページが、一般のＰＣディスプレイの縦横比である横４：縦３の状態で最も見目がよいように作られているという仮定の下で、１つの処理例を示す。
【００５６】
まず、各Ｐ＿ｉに対してその表示面積値をＳ（Ｐ＿ｉ）としたとき、割り当てる縦長Ｈ（Ｐ＿ｉ）と横長Ｗ（Ｐ＿ｉ）を、
Ｈ（Ｐ＿ｉ）＝３＊（√Ｓ（Ｐ＿ｉ）／１２）），
Ｗ（Ｐ＿ｉ）＝４＊（√（Ｓ（Ｐ＿ｉ）／１２））
で定める。すなわち、
Ｈ（Ｐ＿ｉ）：Ｗ（Ｐ＿ｉ）＝４：３、Ｓ（Ｐ＿ｉ）＝Ｈ（Ｐ＿ｉ）＊Ｗ（Ｐ＿ｉ）
となるように定める。Ｈ（Ｐ＿ｉ）及びＷ（Ｐ＿ｉ）が、整数値でない場合は、小数点以下を切り捨てる。このとき、Ｈ（Ｐ＿ｉ）が０となる場合、Ｐ＿ｉに割り当てられた表示面積値を「０」に変更する。
【００５７】
上記の処理により、有意な表示面積値が割り当てられたＰ＿ｉに対しては、Ｐ＿ｉの表示領域のサイズが決定する。以下、Ｐ＿ｉに対する表示領域（矩形）をそれぞれ、Ｒ＿ｉと記す。
【００５８】
これらＲ＿ｉを、Ｓ（Ｐ＿ｉ）の大きい方から順に、ディスプレイ等４００の表示領域に、矩形同士が重ならないように詰め込む。詰め込む手法としては、既存の公知技術が存在する（例えば、情報処理学会研究報告論文「アルゴリズム」Ｎｏ．００５「交差のない長方形配置の動的アルゴリズム」）。
【００５９】
また、より簡易な処理として、例えば、ディスプレイ等４００の表示領域の左上端から右下端にかけて、それぞれの座標において、その点を中心として現在探査中の矩形が配置できるか否かを調べることを繰り返せばよい。そして、詰め込んだ矩形のＲ＿ｉの各重心のｘ座標及びｙ座標を、Ｐ＿ｉの表示領域の重心のｘ座標及びｙ座標として割り当てる。
【００６０】
上記の処理では、表示面積値の小さいＲ＿ｉは、その形状では余白に詰め込むことができない場合がある。この場合、残りの余白を残りのＲ＿ｉの個数と同じ個数の矩形に分割して、Ｓ（Ｐ＿ｉ）の大きい順にＲ＿ｉを余白を分割して得た矩形のうち面積の大きいものを順に割り振り、割り振られた余白の矩形領域の縦長をＨ（Ｐ＿ｉ）に、横長Ｗ（Ｐ＿ｉ）に改めて割り当てる。また、その余白の矩形領域の重心のｘ座標及びｙ座標を、Ｐ＿ｉの表示領域の重心のｘ座標及びｙ座標として割り当てる。このとき、割り振られた余白の矩形領域の面積は、必ずしも、Ｓ（Ｐ＿ｉ）やＨ（Ｐ＿ｉ）＊Ｗ（Ｐ＿ｉ）と等しい必要はない。詰め込んだ例を図６に示す。
【００６１】
こうして割り当てられた表示位置及び表示サイズの値に従って、例えば、ＨＴＭＬの＜ｆｒａｍｅ＞タグなどを利用して、表示領域を矩形に仕切り、Ｗｅｂブラウザのフレーム表示機能を利用してそれぞれの領域にＰ＿ｉを表示する。
【００６２】
以上の処理により、閲覧者は、自分の知りたい情報を、従来の検索サイトにおける「要約文」を見てアクセスする値にするか否かを判断する」過程を省いて、かつ、複数候補を同時に概算的に把握することができる。
【００６３】
［第２の実施の形態］
以下では、上記の第１の実施の形態に加えて、いくつかの追加処理について説明する。
【００６４】
最初に表示領域が狭い場合の追加処理について説明する。
【００６５】
表示するＷｅｂページ群のうち、特に下位の適合Ｗｅｂページについては、表示領域が狭いため、視認性に乏しいことが多い。そのため、下位の適合Ｗｅｂページでは、Ｗｅｂページ全体を縮小して表示したり、例えば、適合Ｗｅｂページ中の静止画の１つを検出し、その部分が表示領域の中心となるように表示する。
【００６６】
次に、検索サイトとしての従来の効果の組み込みの例を説明する。
【００６７】
一覧表示されている画面（または、表示用ウィンドウ）中の、Ｐ＿ｉが表示されている表示領域にマウスカーソルを合わせてクリックすると、新たな表示用ウィンドウが現在の表示画面に上書きされる形で生成され、そのウィンドウ中にＰ＿ｉの内容を表示する。
【００６８】
なお、上記の実施の形態では、「重要度」の指標として、検索サイトが算出する適合度のみを利用したが、検索サイトが結果を算出するために利用しない別の形の閲覧者個人情報を反映し、閲覧者の属性に応じた出力をすることも可能である。その例を以下に示す。
【００６９】
例えば、仙台市からインターネットにアクセスしている閲覧者が、「ラーメン屋」というキーワードを検索した場合を考える。検索サイトの機能により、ラーメン屋に関する情報をもつＷｅｂページがいくつか検出される。各Ｗｅｂページには、検索サイトによって「適合度」を算出される。
【００７０】
一方、何らかの方法、例えば、閲覧者がアクセスするために経由しているアクセスポイントの所在地情報を検出することなどによって、閲覧者が「仙台からアクセスしている」という固有の情報を取得することができる。その上で、例えば、検索サイトの機能を再度利用して「ラーメン」と「仙台」の双方の「適合度」を算出して乗じたものを「重要度」としたり、各適合Ｗｅｂページの内容を調べ、例えば、「仙台」という用語が何度含まれるかで点数付けして検索サイトが算出した「適合度」を補正したものを、「重要度」としたりすれば、閲覧者の「仙台から閲覧している」という情報を探索結果に反映させることができる。
【００７１】
上記の例では、閲覧者の個人情報として、検索サイトの適合度情報と閲覧者のアクセスポイントの所在地情報を組み合わせた例を説明したが、端末の能力等により別の個人情報が取得できるのであれば、勿論それらの個人情報を利用してもよいし、得られる個人情報の全て、あるいはいくつかを組み合わせて利用してもよい。
【００７２】
［第３の実施の形態］
上記の実施の形態では、主にＷｅｂ空間における検索サイトを利用した情報探索支援への適用例を説明したが、しかし、本発明は、Ｗｅｂ検索サイト以外の場面でも適用することができる。
【００７３】
例えば、仕事に利用しているパーソナルコンピュータ（パソコン）のオペレーティングシステム（ＯＳ）に組み込み、パソコンの電源を終了した後、次の機会に前回の作業の続きを再開するときの効率化を図る例を説明する。
【００７４】
一般にパソコンで書類作成などの作業を行う場合、同時に複数のソフトを起動し、複数のファイルを相互参照することが多い。そこで、ＯＳにそれらのソフト起動・終了及びファイルの開閉履歴を逐次保存するようなアプリケーションソフトを常駐させておき、これを図３の個人情報取得部１１０として使用する。ユーザが次回パソコンを立ち上げた際、上記の履歴情報を参照し、過去数個分の起動されたソフト及び開かれたファイルを自動的に呼び出し、過去の使用頻度や最後に起動した時間といった履歴情報と、ＯＳに定めておく函数により、「重要度」を算出する。また、上記ソフトを起動したとき及び、ファイルを開いたときの画面状態を表示候補データとして扱い、これを情報取得部１２０により管理する。そして、情報取得部１２０により管理する。そして、情報解析部１３０により、第１の実施の形態と同様の処理によって、上記の起動画面を一覧表示する。また、表示中のソフト・ファイル群を表示領域にアクセスすると、改めてソフト・ファイルを起動できるようなボタン等を併せて表示する。
【００７５】
このようにすることで、パソコンのユーザは、前回どのようにそのパソコンを使っていたかを概算的に把握することができ、また、表示中のソフト・ファイルのうちこれから作業したいソフト・ファイルを簡易に選択することができる。
【００７６】
なお、上記の実施の形態における、図３の構成または、動作をプログラムとして構築し、電子情報表示装置として利用されるコンピュータにインストールし、ＣＰＵ等の制御手段により実行する、または、ネットワークを介して流通させることも可能である。
【００７７】
また、構築されたプログラムを電子情報表示装置として利用されるコンピュータに接続されるハードディスク装置や、フレキシブルディスク、ＣＤ−ＲＯＭ等の可搬記憶媒体に格納しておき、本発明を実施する際に、コンピュータにインストールすることにより実行させることも可能である。
【００７８】
なお、本発明は、上記の実施の形態に限定されることなく、特許請求の範囲内において、種々変更・応用が可能である。
【００７９】
【発明の効果】
上述のように、本発明によれば、情報を探索している閲覧者は、従来の探索よりも受動的かつ簡易な探索ができると共に、関連情報を複合的・横断的に眺めることができるため、場合によっては、閲覧者が探索したい情報を直感的に把握できる。
【００８０】
【図面の簡単な説明】
【図１】本発明の原理を説明するための図である。
【図２】本発明の原理構成図である。
【図３】本発明の一実施の形態における電子情報表示装置の構成図である。
【図４】本発明の一実施の形態における電子情報表示装置の一連の動作のフローチャートである。
【図５】本発明の一実施の形態における検索サイトの例である。
【図６】本発明の一実施の形態における表示領域の割り付けの例である。
【符号の説明】
１００  電子情報表示装置
１１０  個人情報取得手段、個人情報取得部
１２０  情報取得手段、情報取得部
１３０  情報解析部
１３１  情報評価手段、情報価値評価部
１３２  表示部分決定手段、表示部分決定部
１４０  表示制御手段、画面制御部
１５０  情報表示部
１６０  通信部
１７０  記憶部
２００  個人情報入力部
２０１  文字列入力部
２０２  操作ボタン
３００  データーベース・検索エンジン等
４００  ディスプレイ等
【図１】
2004318736.tif 000003
【図２】
2004318736.tif 000004
【図３】
2004318736.tif 000005
【図４】
2004318736.tif 000006
【図５】
2004318736.tif 000007
【図６】
2004318736.tif 000008